(57)【特許請求の範囲】
【請求項１】
扉１に固着されるハウジング２に操作ハンドル３の全体または主体部分を出没可能に収納し、操作ハンドル３の基端連結部４に縦断面扇形状の背面側空洞部１９を背面側に開口して形成し、施錠主軸５の前面に細板状の前端連結部６を突出形成し、操作ハンドル３の前記背面側空洞部１９に挿入した施錠主軸５の前端連結部６を、扉１の前面と平行な横断枢軸７によって操作ハンドル３の前記基端連結部４に枢着してあり、横断枢軸７を中心に操作ハンドル３をハウジング２から所定角度まで引出し回転させた後、操作ハンドル３で施錠主軸５を回転させることによって、固定枠体８に対する扉１の錠止を解除するようにしてあり、
操作ハンドル３の基端連結部４の背面側と施錠主軸５の前端連結部６の正面側のどちらか一方に横断枢軸７を曲率中心とする凸型円弧面９を形成し、操作ハンドル３の基端連結部４の背面側と施錠主軸５の前端連結部６の正面側の残る他方に横断枢軸７を曲率中心とする凹型円弧面１０を形成し、凹型円弧面１０または凸型円弧面に開口させて施錠主軸５または操作ハンドル３に受孔１１を前後方向に形成し、該受孔１１に前後方向に移動可能に収容した球体１２をバネ部材１３によって突出方向に付勢し、操作ハンドル３をハウジング２から所定角度まで引出したとき、球体１２の一部が圧接係合する凹部１４を凸型円弧面９または凹型円弧面１０に形成してある引出し回転操作型扉用ロックハンドル装置において、
球体１２の一部が常時係合しており、操作ハンドル３の引出し回転に対応して球体１２の一部がその中を移動する弧状溝１５を、横断枢軸７を曲率中心とする同一の円弧に沿わせて、かつ、全長さにわたって同一深さにして、前記凸型円弧面９または凹型円弧面１０であって操作ハンドル３の前記背面側空洞部１９に重ならない部位に形成し、前記凹部１４を該弧状溝１５の一部に形成したことを特徴とする引出し回転操作型扉用ロックハンドル装置。
【発明の詳細な説明】
【０００１】
【発明の属する技術分野】
本発明は、各種機器類を格納するボックス本体などの固定枠体に対して扉を錠止する引出し回転操作型の扉用ロックハンドル装置に関する。
【０００２】
【従来の技術】
例えば特許第２９６９１１８号公報に記載されたように従来の引出し回転操作型扉用ロックハンドル装置では、扉に固着されるハウジングに操作ハンドルの全体または主体部分を出没可能に収納し、操作ハンドルの基端連結部を施錠主軸の前端連結部に横断枢軸によって連結し、横断枢軸を中心に操作ハンドルをハウジングから所定角度まで引出し回転させた後、操作ハンドルで施錠主軸を回転させることによって、固定枠体に対する扉の錠止を解除するようになっている。
【０００３】
この引出し回転操作型扉用ロックハンドル装置では、操作ハンドルを没入あるいは引出し位置に保持するための保持機構として、施錠主軸の前端連結部に相対回転不能に嵌め合わせた円形バネ板が使用され、操作ハンドルの基端連結部の背面側に前記バネ板の前面に当接する断面山形の係止突起が形成されている。
そして、操作ハンドルがハウジング内に収納されているときは、前記係止突起の頂点部が前記横断枢軸を通る扉面と直角な基準線に関して操作ハンドルの握り部の反対側に位置する一方、操作ハンドルがハウジングから引出されたときには、係止突起の頂点部が前記基準線を握り部側に越えた位置に来るように、係止突起の両斜面の会合角度が設定されている。
【０００４】
このように構成された保持機構は、構成部品数が極限まで減少しているため、製造コストの節減等に有利である反面、操作ハンドルがハウジングに没入するとき、係止突起の頂点部が前記基準線を越えた瞬間に操作ハンドルがバネ板の弾性反発力によって急速回転するため、操作ハンドルの握り部がハウジングの内底面に勢い良く衝突することになる。
【０００５】
この操作ハンドルの没入時に発生する衝突音は周囲の執務環境や労務環境に不快感を引き起こす要因となり、また、衝撃振動ははロックハンドル装置自体あるいはその周辺に設置されている機器に内蔵されているセンサーやマイクロスイッチなどの電子部品または電気部品に有害な悪影響を及ぼすことがある。
【０００６】
【発明が解決しようとする課題】
したがって本発明の課題は、構成部品数が少なくて装置全体の奥行き寸法を増大させることなしに、操作ハンドルを当初の引出し角度に的確に保持できる保持機構を備え、操作ハンドルの没入時に不快な衝突音や有害な振動衝撃を発生させることがない引出し回転操作型扉用ロックハンドル装置を提供することである。
【０００７】
【課題を解決するための手段】
添付図面中の参照符号を用いて説明すると、前記課題を解決するために請求項１の発明は、扉１に固着されるハウジング２に操作ハンドル３の全体または主体部分を出没可能に収納し、操作ハンドル３の基端連結部４に縦断面扇形状の背面側空洞部１９を背面側に開口して形成し、施錠主軸５の前面に細板状の前端連結部６を突出形成し、操作ハンドル３の前記背面側空洞部１９に挿入した施錠主軸５の前端連結部６を、扉１の前面と平行な横断枢軸７によって操作ハンドル３の前記基端連結部４に枢着してあり、横断枢軸７を中心に操作ハンドル３をハウジング２から所定角度まで引出し回転させた後、操作ハンドル３で施錠主軸５を回転させることによって、固定枠体８に対する扉１の錠止を解除するようにしてあり、
操作ハンドル３の基端連結部４の背面側と施錠主軸５の前端連結部６の正面側のどちらか一方に横断枢軸７を曲率中心とする凸型円弧面９を形成し、操作ハンドル３の基端連結部４の背面側と施錠主軸５の前端連結部６の正面側の残る他方に横断枢軸７を曲率中心とする凹型円弧面１０を形成し、凹型円弧面１０または凸型円弧面に開口させて施錠主軸５または操作ハンドル３に受孔１１を前後方向に形成し、該受孔１１に前後方向に移動可能に収容した球体１２をバネ部材１３によって突出方向に付勢し、操作ハンドル３をハウジング２から所定角度まで引出したとき、球体１２の一部が圧接係合する凹部１４を凸型円弧面９または凹型円弧面１０に形成してある引出し回転操作型扉用ロックハンドル装置において、
球体１２の一部が常時係合しており、操作ハンドル３の引出し回転に対応して球体１２の一部がその中を移動する弧状溝１５を、横断枢軸７を曲率中心とする同一の円弧に沿わせて、かつ、全長さにわたって同一深さにして、前記凸型円弧面９または凹型円弧面１０であって操作ハンドル３の前記背面側空洞部１９に重ならない部位に形成し、前記凹部１４を該弧状溝１５の一部に形成したことを特徴とする。
【０００８】
【発明の作用】
この引出し回転操作型扉用ロックハンドル装置においては、操作ハンドル３がハウジング２に収納されているときには、球体１２は凹部１４以外の部分において凸型円弧面９または凹型円弧面１０に圧接係合しており、バネ部材１３の弾性反発力によって収納位置に安定に保持されている。
【０００９】
横断枢軸７を中心に操作ハンドル３が所定角度に引出されるとき、凸型円弧面９または凹型円弧面１０と球体１２との接触点は凹部１４に向かって移動し、操作ハンドル３が所定角度まで引出された瞬間に球体１２の一部が凹部１４に落込み係合する。この係合とバネ部材１３の弾性反発力によって操作ハンドル３は当初の引出し位置に的確に保持される。
【００１０】
操作ハンドル３によって施錠主軸５を回すことによって扉１は固定枠体８に対する錠止を解除され、扉１が機器の点検修理などのため開放される。所要の作業を終了した後、扉１を閉鎖し、操作ハンドル３を引出し当初の位置、すなわち操作ハンドル３がハウジング２のハンドル収容部と整列する位置に戻してからハウジング２内に押しこむ。
【００１１】
このようにして操作ハンドル３がハウジング２に横断枢軸７を中心に没入回転するとき、回転の当初に球体１２の一部が前記凹部１４から脱出する。凹部１４から脱出した球体１２と凸型円弧面９または凹型円弧面１０との接触点は、没入回転が進行するにつれ、凹部１４から離れて行く。
前記凸型円弧面９または凹型円弧面１０は曲率中心を横断枢軸７に置いているため、バネ部材１３による弾性反発力は没入回転中まったく同等であり、この弾性反発力によって操作ハンドル３と横断枢軸７の間には適度な摩擦力が一貫して働いているため、操作ハンドル３が急速回転することがない。
操作ハンドル３は作業者の手によって適宜調整された速度でハウジング２に没入操作される。
【００１２】
【発明の実施の形態】
図１から図８に示した実施例では、施錠主軸５はハウジング２の上部背面側に形成した軸受筒部１６に前後方向に移動不能に嵌挿され、施錠主軸５の後端角軸部には略Ｌ字状板等よりなるロック部材１７が相対回転不能に嵌められ、ボルト１８によって締付け固着されている。操作ハンドル３の基端連結部４には縦断面扇形状の背面側空洞部１９が背面側に開口して形成されており、該背面側空洞部１９には施錠主軸５の前面に突出形成された細板状の前端連結部６が挿入され、扉１の前面と平行な横断枢軸７によって、操作ハンドル３の前記基端連結部４に枢着されている。
【００１３】
操作ハンドル３は先端指掛け部２０を除いて、ほぼ全体がハウジング２内に没入するようにプロフィールが形成されている。横断枢軸７を中心に操作ハンドル３をハウジング２から所定角度まで引出し回転させた後、操作ハンドル３と一緒に施錠主軸４を旋回させることによって、前記ロック部材１７が固定枠体８側の受部２１から離脱し、これによってハウジング２に対する扉１の錠止が解除される。
【００１４】
操作ハンドル３の基端連結部４の背面側には、横断枢軸７を曲率中心とする凸型円弧面９が形成され、施錠主軸５の前端連結部６の正面側には横断枢軸７を曲率中心とする凹型円弧面１０が形成されており、凸型円弧面９と凹型円弧面１０は互いにに対面接触している。この凹型円弧面１０に開口した受孔１１が、施錠主軸５の主体部分に前後方向に形成されており、受孔１１に収容された硬質の球体１２は、圧縮コイルバネよりなるバネ部材１３によって突出方向に付勢されている。
【００１５】
球体１２の一部が常時係合し、操作ハンドル３の引出し回転に対応して球体１２の一部がその中を移動する弧状溝１５は、凸型円弧面９に形成されており、操作ハンドル３をハウジング２から所定角度まで引出したとき、球体１２の一部が圧接係合する凹部１４は、この凸型円弧面９の弧状溝１５の一部に形成されている。
【００１６】
図９に示した実施例では、操作ハンドル３の基端連結部４の背面側には、横断枢軸７を曲率中心とする凹型円弧面１０が形成され、施錠主軸５の前端連結部６の正面側には横断枢軸７を曲率中心とする凸型円弧面９が形成されており、凸型円弧面９と凹型円弧面１０は互いにに対面接触している。この凸型円弧面９に開口した受孔１１が、操作ハンドル３の基端連結部４に前後方向に形成されており、受孔１１に収容された硬質の球体１２は、圧縮コイルバネよりなるバネ部材１３によって突出方向に付勢されている。
【００１７】
球体１２の一部が常時係合し、操作ハンドル３の引出し回転に対応して球体１２の一部がその中を移動する弧状溝１５は、凹型円弧面１０に形成されており、操作ハンドル３をハウジング２から所定角度まで引出したとき、球体１２の一部が圧接係合する凹部１４は、この凹型円弧面１０の弧状溝１５の一部に形成されている。
【００１８】
上記いずれの実施例においても、操作ハンドル３を没入状態においてハウジング２に錠止するための複合ロック機構が組込まれている。
以下、複合ロック機構の内容を説明すると、操作ハンドル３に組込んだ錠前ユニット２２のロータ２３には、ハウジング２側の受金部材２４に係脱する止め金部材２５を接続してあり、ロータ２３の鍵孔２６に挿入した鍵２７の回転操作によって、ハウジング２に対する操作ハンドル３の引出し拘束を解除するようになっている。ハウジング２に摺動可能に収容された受金部材２４には、止め金部材２５が係脱する掛止め部２８を形成してあり、ハウジング２に装着したソレノイド２９のプランジャー３０には受金部材２４を連結し、止め金部材２５と係合する位置に受金部材２４を付勢保持してある。
【００１９】
ソレノイド２９への通電または前記鍵２７の挿入回転によって止め金部材２５と受金部材２４との係合を解除するとともに、ハウジング２に検知スイッチ３１を固着し、止め金部材２５が受金部材２４から離脱する位置に来たとき検知スイッチ３１を作動させる仲介部材３２を、検知スイッチ３１と止め金部材２５の間に挿入してある。ハウジング２に操作ハンドル３を押し込み操作するとき、受金部材２４を退避位置に移動させるカム面部３３を受金部材２４に形成してある。
【００２０】
この複合ロック機構によれば、図１に示したように扉１が閉鎖され、施錠主軸５に接続されたロック部材１７によって扉１が機器ボックス本体などの固定枠体８に対して開扉不能に錠止されているときには、操作ハンドル３はハウジング２内にその主体部分が収納されており、錠前ユニット２２の止め金部材２５が受金部材２４の掛止め部２８に係合することによって、操作ハンドル３はハウジング２に対して引出し不能に拘束されている。
【００２１】
機器ボックスに格納した機器の操作や点検修理のために作業者を機器ボックスに派遣するとき、機器ボックスの管理者は機器ボックスの設置場所から離隔した駐在場所において、制御パネルのスイッチをオン操作し、ソレノイド２９に解錠信号としての所定電流を供給する。このソレノイド２９の励磁によってプランジャー３０がソレノイド本体側に吸引されるため、受金部材２４が引き戻し摺動させられ、掛止め部２８と止め金部材２５との係合が解除される。
【００２２】
このとき、錠前ユニット２２に対しては何らの操作もなされないから、止め金部材２５は当初位置に突出したままである。現場に派遣された作業者が操作ハンドル３をハウジング２から引出すとき、前記止め金部材２５はハウジング２の内壁部に当たることなく、ハウジング２の外部空間に移動する。操作ハンドル３の引出し回転の終了後、ソレノイド２９への通電が遮断され、受金部材２４はソレノイド２９のプランジャー３０の付勢用バネ３４の付勢によって、錠前ユニット２２側に接近した元の位置に復帰する。
【００２３】
図４に示したようにハウジング２より引出し回転させた操作ハンドル３を握って施錠主軸５を回転駆動すると、施錠主軸５に接続してあるロック部材１７が固定枠体８側の受部２１から離脱し、固定枠体８に対する扉１の錠止が解除される。そのため、操作ハンドル３を手前に引くことによって扉１は開放操作される。
【００２４】
作業者が機器の点検修理などの終了後、操作ハンドル３をハウジング２内に押し戻すとき、止め金部材２５の先端部が受金部材２４のカム面部３３を押すため、受金部材２４は前記バネ３４の付勢に抗して、ソレノイド本体側に一旦摺動し、止め金部材２５の通過を許容する。止め金部材２５の先端部が前記掛止め部２８の位置を通過したとき、受金部材２４はバネ３４の付勢によって復帰摺動し、止め金部材２５の先端部が受金部材２４の掛止め部２８に再係合する。
【００２５】
ソレノイド２９に解錠信号を送っても操作ハンドル３の引出し拘束が解除されないときには、ソレノイド２９それ自体の故障かソレノイド２９への通電系統の故障である。このような非常時には、錠前ユニット２２の鍵２７を使用して手動解錠する。
錠前ユニット２２のロータ２３の鍵孔２６に鍵２７を挿入し、ロータ２３を所定方向に回転させると、ロータ２３に連動装備されている止め金部材２５が錠前ユニット２２側に引き戻され、止め金部材２５が受金部材２４の掛け止め部２８から離脱する。これによって操作ハンドル３はハウジング２から引出し可能になる。
【００２６】
上記のように止め金部材２５が解錠位置に引き戻されたときには、重力による付勢または検知スイッチ３１の内蔵バネによる付勢によって、仲介部材３２が検知スイッチ３１から離反する方向に摺動する。この仲介部材３２の離反摺動によって検知スイッチ３１がオン操作されるため、検知スイッチ３１が挿入されている管理パネルの表示灯などの報知手段が作動して、手動解錠の事実が報知されたり、検知信号が記憶装置に入力され、手動解錠の実行時刻などが記録管理される。
【００２７】
ソレノイド２９自体やソレノイド２９への通電系統を点検修理したり、作業者が機器の点検修理などを終了した後、操作ハンドル３をハウジング２内に押し戻すとき、止め金部材２５は錠前ユニット２２側に引き戻された位置に保持されている。そのため、止め金部材２５が受金部材２４に干渉することなく、操作ハンドル３がハウジング２内に押し戻される。
【００２８】
操作ハンドル３をハウジング２に所定通り収容した後、鍵２７によって錠前ユニット２２のロータ２３を前記とは逆方向に回転させると、止め金部材２５がソレノイド２９側に向かって突き出し摺動させられる。この止め金部材２５の突き出し摺動によって仲介部材３２がソレノイド２９側に押し返され、検知スイッチ３１のアクチュエータ３５を再び押圧し、検知スイッチ３１をオフ操作する。
【００２９】
前記錠前ユニット２２は操作ハンドル３の先端部に埋込み固着されており、ロータ２３を錠本体に錠止する内部錠機構としては、公知のディスクタンブラ錠機構が使用されている。ロータ２３の後端面には回転中心から偏心した位置に駆動用カム突起３６が突設されている。板状の止め金部材２５にはその横幅方向に受動用溝孔３７が形成されており、ロータ２３を回したとき、前記カム突起３６が溝孔３７の内側面を押すことによって、止め金部材２５が進退する。止め金部材２５は操作ハンドル３に形成された上下方向のガイド溝３８に挿入されている。
【００３０】
ハウジング２の内側壁に固着具３９によって固着され、操作ハンドル３の収容空間の背面側に配置されている内側ケース４０には、厚板状の受金部材２４が上下方向に摺動可能に収容されている。内側ケース４０の受金部材２４と向き合う背面板部４１には、検知スイッチ３１がボルト４２とナット４３によって締め付け固着されている。この背面板部４１と受金部材２４の間には板状の仲介部材３２が上下方向に摺動可能に挿入されており、仲介部材３２の前面側に形成した連動突起４４は、受金部材２４の背面側の牽引突起４５に係合する。
【００３１】
ソレノイド２９に解錠信号が供給されてプランジャ３０がソレノイド本体側に吸引されたとき、仲介部材３２は前記牽引突起４５によって牽引され、受金部材２４と一緒に退避位置へと上方移動する。そのため、操作ハンドル３がハウジング２から引出されるとき、仲介部材３２が止め金部材２４に干渉することがない。
また、操作ハンドル３の押し戻しの際にソレノイド１２が通電されていれば、仲介部材３２が止め金部材２５に干渉することがない。
【００３２】
受金部材２４の上端部には横方向の割溝部４６と、該割溝部４６にＴ字状に交差する縦溝部４７が形成されている。ソレノイド２９のプランジャ３０の下端部には、前記割溝部４６に嵌め込まれる大径軸部４８が形成されており、大径軸部４８の根元部の小径軸部４９は前記縦溝部４７に嵌め込まれている。この嵌め込みによって受金部材２４はプランジャ３０の吸引及び押出し動作に的確に連動するように連結されている。
【００３３】
検知スイッチ３１はマイクロスイッチによって構成されており、そのリード線５０は、ソレノイド２９のリード線と同様にハウジング２の外部に導かれている。前記内側ケース４０の前面上部には、発光ダイオードなどの表示手段５１が装備されており、操作ハンドル３の対応箇所には透明プラスチックの表示窓５２が設けられている。
表示手段５１は、検知スイッチ３１のアクチュエータ３５が仲介部材３２によって押し上げられているとき、点灯等するように回路構成されており、操作ハンドル３が引き出し不能に拘束されていることを表示する。
【００３４】
操作ハンドル３の背面側には、内部において屈曲した受孔５３が形成されている。前記内側ケース４０の前面下部には、操作ハンドル３をハウジング２に収容したとき、前記受孔５３に弾性係合する折り曲げ指状の係止突起５４が形成されており、操作ハンドル３は所定の収納位置に更に安定に保持される。
操作ハンドル３の先端部はハウジング２の下端部より多少突き出ており、指掛け部２０となっている。
【００３５】
上記実施例の引出し回転操作型扉用ロックハンドル装置では、ハウジング２にソレノイド２９を装着し、ハウジング２に摺動可能にハウジング２に装着した受金部材２４に掛止め部２８を形成し、ソレノイド２９のプランジャー３０に受金部材２４を連結し、解錠信号としての所定電流をソレノイド２９に流すことによって、受金部材２４の掛止め部２８と止め金部材２５との係合を解除できるため、機器ボックスの管理者は機器ボックスの設置場所に自ら赴いて鍵２７で錠前ユニット２２を解錠操作する必要なしに、遠隔操作によって特定の１個または複数個の機器ボックスを開扉可能状態にセットすることができ、機器ボックスの開扉管理を１箇所で集中して行なうことができる。
【００３６】
また、ソレノイド２９それ自体やソレノイド２９の通電系統に故障が発生した非常時には、錠前ユニット２２のロータ２３に鍵２７を挿入して止め金部材２５を引き戻し操作することによって、止め金部材２４と受金部材２５との係合を解除できるため、機器ボックスの開扉や保守点検に支障を招くことがないとともに、止め金部材２５が受金部材２４から離脱する位置に来たとき検知スイッチ３１を作動させる仲介部材３２を、検知スイッチ３１と止め金部材２５間に挿入してあるため、鍵２７の挿入回転による解錠を的確に検知して、所要の表示パネルに逐次表示したり、手動解錠の実行時刻などを記録管理等することができる。
【００３７】
また、ハウジング２に操作ハンドル３を押し込み操作するとき、受金部材２４が退避位置に移動させるカム面部３３を受金部材２４に形成してあるため、操作ハンドル３の引出し操作後にソレノイド２９への通電が遮断されていても、止め金部材２５に押されて受金部材２４が一旦退避摺動した後、止め金部材２５と受金部材２４が自動的に再係合することになる。このように手動解錠しても、復帰動作においてはオートロック機構となっているので、鍵のかけ忘れがなく、施錠確認のために管理者が機器ボックスの設置場所に赴く必要がない。
【００３８】
【発明の効果】
以上のように本発明の引出し回転型扉用ロックハンドル装置では、操作ハンドル３または施錠主軸５に形成される前記凸型円弧面９または凹型円弧面１０は、いずれも曲率中心が横断枢軸７の中心にあり、また、受孔１１は施錠主軸５または操作ハンドル３の前後方向に形成されているため、バネ部材１３の弾性反発力は横断枢軸７の中心に向かって常に作用していることになり、操作ハンドル３の没入にあたって、バネ部材１３による弾性反発力は操作ハンドル３を急速回転させるモーメントとしては働くことがない。そのため、本発明によれば、構成部品数が少なくて装置全体の奥行き寸法を増大させることなしに、操作ハンドルを当初の引出し角度に的確に保持できるとともに、操作ハンドルの没入時に不快な衝突音や有害な振動衝撃を発生させることがない引出し回転操作型扉用ロックハンドル装置が提供される。
【００３９】
また、本発明では、球体１２の一部が常時係合しており、操作ハンドル３の引出し回転に対応して球体１２の一部がその中を移動する弧状溝１５を、横断枢軸７を曲率中心とする同一の円弧に沿わせて、かつ、全長さにわたって同一深さにして、前記凸型円弧面９または凹型円弧面１０であって操作ハンドル３の前記背面側空洞部１９に重ならない部位に形成し、前記凹部１４を該弧状溝１５の一部に形成してあるため、操作ハンドル３を所定角度まで引出し回転させたとき、球体１２は弧状溝１５と凹部１４の合計の深さ分において係合することになり、操作ハンドル３の保持力が向上する。
【図面の簡単な説明】
【図１】  本発明の一実施例に係る引出し回転操作型扉用ロックハンドル装置の正面図であり、扉は閉鎖施錠状態にある。
【図２】  図１の扉用ロックハンドル装置の左側面図である。
【図３】  図１の扉用ロックハンドル装置のＡ−Ａ線断面図である。
【図４】  図１の扉用ロックハンドル装置のＡ−Ａ線縦断面図であり、ソレノイドへの通電によって止め金部材と受金部材の係合を解除したときの状態を示している。
【図５】  図１の扉用ロックハンドル装置のＢ−Ｂ線断面図である。
【図６】  図１の扉用ロックハンドル装置のＢ−Ｂ線断面図であり、ソレノイドへの通電によって止め金部材と受金部材の係合を解除したときの状態を示している。
【図７】  図１の扉用ロックハンドル装置に使用した施錠主軸の正面図である。
【図８】  図１の扉用ロックハンドル装置に使用した操作ハンドルの基端連結部の背面図である。
【図９】  本発明の別の実施例に係る引出し回転操作型扉用ロックハンドル装置の図６に対応した断面図である。
【符号の説明】
１  扉
２  ハウジング
３  操作ハンドル
４  基端連結部
５  施錠主軸
６  前端連結部
７  横断枢軸
８  固定枠体
９  凸型円弧面
１０  凹型円弧面
１１  受孔
１２  球体
１３  バネ部材
１４  凹部
１５  弧状溝
【図１】
0003750937.tif 000002
【図２】
0003750937.tif 000003
【図３】
0003750937.tif 000004
【図４】
0003750937.tif 000005
【図５】
0003750937.tif 000006
【図６】
0003750937.tif 000007
【図７】
0003750937.tif 000008
【図８】
0003750937.tif 000009
【図９】
0003750937.tif 000010